(57)【特許請求の範囲】
【請求項１】
移動可能であって貨幣を取り出し可能に収納し収納している貨幣の子機在高データを送信可能な貨幣管理子機と、
前記貨幣管理子機を取り出し可能に保管する貨幣管理中間機と、
前記貨幣管理子機および前記貨幣管理中間機と通信可能な貨幣管理親機と、を備え、
前記貨幣管理親機は、
該貨幣管理親機の親機在高データ、前記貨幣管理中間機の中間機在高データおよびこれら以外の手許在高データを管理しており、
前記貨幣管理中間機が前記貨幣管理子機を保管している状態では、前記子機在高データを前記手許在高データに含めずに前記中間機在高データに含め、前記貨幣管理中間機から前記貨幣管理子機が取り出されている状態では、前記子機在高データを前記中間機在高データに含めずに前記手許在高データに含めることを特徴とする貨幣管理システム。
【請求項２】
前記貨幣管理中間機は、前記貨幣管理子機を保管する保管部を開閉する開閉機構を有しており、
前記貨幣管理親機への子機保管指令操作に基づいて、該貨幣管理親機は、前記子機在高データを前記手許在高データに含めずに前記中間機在高データに含めると共に、前記貨幣管理中間機に子機保管指令信号を出力し、
前記貨幣管理中間機は、前記子機保管指令信号を受けると前記開閉機構の開作動を許可することを特徴とする請求項１記載の貨幣管理システム。
【請求項３】
前記貨幣管理親機への前記子機保管指令操作の操作入力時に親機入力操作者識別情報が入力され、該貨幣管理親機は、前記親機入力操作者識別情報を含んで前記貨幣管理中間機に前記子機保管指令信号を出力し、
前記貨幣管理中間機は、入力された中間機入力操作者識別情報が前記親機入力操作者識別情報と一致する場合に、前記開閉機構の開作動を許可することを特徴とする請求項２記載の貨幣管理システム。
【請求項４】
前記貨幣管理中間機は、前記貨幣管理子機を保管する保管部を開閉する開閉機構を有しており、
前記貨幣管理親機への子機取出指令操作に基づいて、該貨幣管理親機は、前記子機在高データを前記中間機在高データに含めずに前記手許在高データに含めると共に、前記貨幣管理中間機に子機取出指令信号を出力し、
前記貨幣管理中間機は、前記子機取出指令信号を受けると前記開閉機構の開作動を許可することを特徴とする請求項１乃至３のいずれか一項記載の貨幣管理システム。
【請求項５】
前記貨幣管理親機への前記子機取出指令操作の操作入力時に親機入力操作者識別情報が入力され、該貨幣管理親機は、前記親機入力操作者識別情報を含んで前記貨幣管理中間機に前記子機取出指令信号を出力し、
前記貨幣管理中間機は、入力された中間機入力操作者識別情報が前記親機入力操作者識別情報と一致する場合に、前記開閉機構の開作動を許可することを特徴とする請求項４記載の貨幣管理システム。
【請求項６】
移動可能であって貨幣を取り出し可能に収納し収納している貨幣の子機在高データを送信可能な貨幣管理子機と、
前記貨幣管理子機を取り出し可能に保管する貨幣管理中間機と、
前記貨幣管理子機および前記貨幣管理中間機と通信可能な貨幣管理親機と、を備える貨幣管理システム用の前記貨幣管理親機として動作可能な貨幣管理装置であって、
該貨幣管理親機の親機在高データ、前記貨幣管理中間機の中間機在高データおよびこれら以外の手許在高データを管理しており、
前記貨幣管理中間機が前記貨幣管理子機を保管している状態では、前記子機在高データを前記手許在高データに含めずに前記中間機在高データに含め、前記貨幣管理中間機から前記貨幣管理子機が取り出されている状態では、前記子機在高データを前記中間機在高データに含めずに前記手許在高データに含めることを特徴とする貨幣管理装置。
【請求項７】
移動可能であって貨幣を取り出し可能に収納し収納している貨幣の子機在高データを送信可能な貨幣管理子機と、
前記貨幣管理子機を取り出し可能に保管する貨幣管理中間機と、
前記貨幣管理子機および前記貨幣管理中間機と通信可能な貨幣管理親機と、を備える貨幣管理システムの在高データ管理方法であって、
前記貨幣管理親機は、
該貨幣管理親機の親機在高データ、前記貨幣管理中間機の中間機在高データおよびこれら以外の手許在高データを管理しており、前記貨幣管理中間機が前記貨幣管理子機を保管している状態では、前記子機在高データを前記手許在高データに含めずに前記中間機在高データに含め、前記貨幣管理中間機から前記貨幣管理子機が取り出されている状態では、前記子機在高データを前記中間機在高データに含めずに前記手許在高データに含めることを特徴とする在高データ管理方法。
【発明の詳細な説明】
【技術分野】
【０００１】
本発明は、貨幣管理システム、貨幣管理装置および在高データ管理方法に関する。
【背景技術】
【０００２】
通帳、大束紙幣、小束紙幣、棒金およびバラ紙幣等を収納し保管する重要物管理装置と、主に貨幣を収納し保管すると共に金融機関等の店舗全体の在高データを管理する出納機とを通信可能に接続したシステムがある（例えば特許文献１，２参照）。また、小束紙幣および棒金を収納し保管する現金管理装置を出納機と通信可能に接続したシステムがある（例えば特許文献３参照）。
【先行技術文献】
【特許文献】
【０００３】
【特許文献１】特開２０１３−９７６１１号公報
【特許文献２】特開２０１５−１４１４７０号公報
【特許文献３】特開２０１５−１９１４８６号公報
【発明の概要】
【発明が解決しようとする課題】
【０００４】
ところで、現金管理装置は、セキュリティ確保のため、業務終了後に金庫室に収納し保管するような運用方法が望まれている。このため、現金管理装置を含む貨幣管理システムは、金庫室を必要とする大掛かりなシステムとなってしまう。また、金庫室がない場合には、現金管理装置を使用しない不便な貨幣管理システムを採用せざるを得ない。
【０００５】
本発明は、上記の点に鑑みなされたもので、簡素であり利便性の高い貨幣管理システム、貨幣管理装置および在高データ管理方法の提供を目的とする。
【課題を解決するための手段】
【０００６】
上記目的を達成するために、本発明に係る第１の態様は、移動可能であって貨幣を取り出し可能に収納し収納している貨幣の子機在高データを送信可能な貨幣管理子機と、前記貨幣管理子機を取り出し可能に保管する貨幣管理中間機と、前記貨幣管理子機および前記貨幣管理中間機と通信可能な貨幣管理親機と、を備え、前記貨幣管理親機は、該貨幣管理親機の親機在高データ、前記貨幣管理中間機の中間機在高データおよびこれら以外の手許在高データを管理しており、前記貨幣管理中間機が前記貨幣管理子機を保管している状態では、前記子機在高データを前記手許在高データに含めずに前記中間機在高データに含め、前記貨幣管理中間機から前記貨幣管理子機が取り出されている状態では、前記子機在高データを前記中間機在高データに含めずに前記手許在高データに含めることを特徴とする。
【０００７】
上記第１の態様によれば、貨幣管理子機が移動可能に構成され、貨幣管理中間機が、貨幣管理子機を取り出し可能に保管するため、貨幣管理子機を保管する金庫室を設置しなくても、セキュリティの高い運用が可能になる。よって、簡素であり利便性が高くなる。また、貨幣管理親機が、貨幣管理子機および貨幣管理中間機と通信可能であって、貨幣管理中間機が貨幣管理子機を保管している状態では、貨幣管理子機の子機在高データを手許在高データに含めずに貨幣管理中間機の中間機在高データに含め、貨幣管理中間機から貨幣管理子機が取り出されている状態では、子機在高データを中間機在高データに含めずに手許在高データに含めるため、このような在高データの人手による専用の付け替え作業が不要になる。よって、さらに利便性が高くなる。
【０００８】
本発明に係る第２の態様は、第１の態様において、前記貨幣管理中間機は、前記貨幣管理子機を保管する保管部を開閉する開閉機構を有しており、前記貨幣管理親機への子機保管指令操作に基づいて、該貨幣管理親機は、前記子機在高データを前記手許在高データに含めずに前記中間機在高データに含めると共に、前記貨幣管理中間機に子機保管指令信号を出力し、前記貨幣管理中間機は、前記子機保管指令信号を受けると前記開閉機構の開作動を許可することを特徴とする。
【０００９】
上記第２の態様によれば、貨幣管理親機は、子機保管指令操作が入力されると、貨幣管理子機の子機在高データを手許在高データに含めずに貨幣管理中間機の中間機在高データに含めると共に、貨幣管理中間機に子機保管指令信号を出力する。この子機保管指令信号を受けると、貨幣管理中間機は、開閉機構の開作動を許可する。よって、子機在高データを手許在高データに含めずに中間機在高データに含めるという在高データの付け替えを行わずに、貨幣管理中間機に貨幣管理子機が保管されてしまうことを抑制できる。
【００１０】
本発明に係る第３の態様は、第２の態様において、前記貨幣管理親機への前記子機保管指令操作の操作入力時に親機入力操作者識別情報が入力され、該貨幣管理親機は、前記親機入力操作者識別情報を含んで前記貨幣管理中間機に前記子機保管指令信号を出力し、前記貨幣管理中間機は、入力された中間機入力操作者識別情報が前記親機入力操作者識別情報と一致する場合に、前記開閉機構の開作動を許可することを特徴とする。
【００１１】
上記第３の態様によれば、貨幣管理親機は、親機入力操作者識別情報を含んで貨幣管理中間機に子機保管指令信号を出力する。すると、貨幣管理中間機は、入力された中間機入力操作者識別情報が親機入力操作者識別情報と一致する場合に、開閉機構の開作動を許可する。よって、貨幣管理親機への操作者以外による貨幣管理中間機への貨幣管理子機の保管を抑制でき、他の貨幣管理子機が保管される等の誤保管を抑制できる。
【００１２】
本発明に係る第４の態様は、第１乃至３のいずれか１つの態様において、前記貨幣管理中間機は、前記貨幣管理子機を保管する保管部を開閉する開閉機構を有しており、前記貨幣管理親機への子機取出指令操作に基づいて、該貨幣管理親機は、前記子機在高データを前記中間機在高データに含めずに前記手許在高データに含めると共に、前記貨幣管理中間機に子機取出指令信号を出力し、前記貨幣管理中間機は、前記子機取出指令信号を受けると前記開閉機構の開作動を許可することを特徴とする。
【００１３】
上記第４の態様によれば、貨幣管理親機は、子機取出指令操作が入力されると、貨幣管理子機の子機在高データを貨幣管理中間機の中間機在高データに含めずに手許在高データに含めると共に、貨幣管理中間機に子機取出指令信号を出力する。この子機取出指令信号を受けると、貨幣管理中間機は、開閉機構の開作動を許可する。よって、子機在高データを中間機在高データに含めずに手許在高データに含めるという在高データの付け替えを行わずに、貨幣管理中間機から貨幣管理子機が取り出されてしまうことを抑制できる。
【００１４】
本発明に係る第５の態様は、第４の態様において、前記貨幣管理親機への前記子機取出指令操作の操作入力時に親機入力操作者識別情報が入力され、該貨幣管理親機は、前記親機入力操作者識別情報を含んで前記貨幣管理中間機に前記子機取出指令信号を出力し、前記貨幣管理中間機は、入力された中間機入力操作者識別情報が前記親機入力操作者識別情報と一致する場合に、前記開閉機構の開作動を許可することを特徴とする。
【００１５】
上記第５の態様によれば、貨幣管理親機は、親機入力操作者識別情報を含んで貨幣管理中間機に子機取出指令信号を出力する。すると、貨幣管理中間機は、入力された中間機入力操作者識別情報が親機入力操作者識別情報と一致する場合に、開閉機構の開作動を許可する。よって、貨幣管理親機への操作者以外による貨幣管理中間機からの貨幣管理子機の取り出しを抑制でき、セキュリティ性を高めることができる。
【００１６】
本発明に係る第６の態様は、移動可能であって貨幣を取り出し可能に収納し収納している貨幣の子機在高データを送信可能な貨幣管理子機と、前記貨幣管理子機を取り出し可能に保管する貨幣管理中間機と、前記貨幣管理子機および前記貨幣管理中間機と通信可能な貨幣管理親機と、を備える貨幣管理システム用の前記貨幣管理親機であって、該貨幣管理親機の親機在高データ、前記貨幣管理中間機の中間機在高データおよびこれら以外の手許在高データを管理しており、前記貨幣管理中間機が前記貨幣管理子機を保管している状態では、前記子機在高データを前記手許在高データに含めずに前記中間機在高データに含め、前記貨幣管理中間機から前記貨幣管理子機が取り出されている状態では、前記子機在高データを前記中間機在高データに含めずに前記手許在高データに含めることを特徴とする。
【００１７】
上記第６の態様によれば、貨幣管理親機は、貨幣管理子機および貨幣管理中間機と通信可能であって、貨幣管理中間機が貨幣管理子機を保管している状態では、貨幣管理子機の子機在高データを手許在高データに含めずに貨幣管理中間機の中間機在高データに含め、貨幣管理中間機から貨幣管理子機が取り出されている状態では、子機在高データを中間機在高データに含めずに手許在高データに含めるため、このような在高データの人手による専用の付け替え作業が不要になる。よって、利便性が高くなる。
【００１８】
本発明に係る第７の態様は、移動可能であって貨幣を取り出し可能に収納し収納している貨幣の子機在高データを送信可能な貨幣管理子機と、前記貨幣管理子機を取り出し可能に保管する貨幣管理中間機と、前記貨幣管理子機および前記貨幣管理中間機と通信可能な貨幣管理親機と、を備える貨幣管理システムの在高データ管理方法であって、前記貨幣管理親機は、該貨幣管理親機の親機在高データ、前記貨幣管理中間機の中間機在高データおよびこれら以外の手許在高データを管理しており、前記貨幣管理中間機が前記貨幣管理子機を保管している状態では、前記子機在高データを前記手許在高データに含めずに前記中間機在高データに含め、前記貨幣管理中間機から前記貨幣管理子機が取り出されている状態では、前記子機在高データを前記中間機在高データに含めずに前記手許在高データに含めることを特徴とする。
【００１９】
上記第７の態様によれば、貨幣管理中間機が貨幣管理子機を保管している状態では、貨幣管理子機の子機在高データを手許在高データに含めずに貨幣管理中間機の中間機在高データに含め、貨幣管理中間機から貨幣管理子機が取り出されている状態では、子機在高データを中間機在高データに含めずに手許在高データに含めるため、このような在高データの人手による専用の付け替え作業が不要になる。よって、利便性が高くなる。
【発明の効果】
【００２０】
本発明によれば、簡素であり利便性の高い貨幣管理システム、貨幣管理装置および在高データ管理方法を提供することができる。
【図面の簡単な説明】
【００２１】
【図１】本発明の一実施形態に係る貨幣管理システムを示す構成図である。
【図２】本発明の一実施形態に係る貨幣管理システムを示すブロック図である。
【図３】本発明の一実施形態に係る貨幣管理システムの現金管理装置を示す斜視図である。
【図４】本発明の一実施形態に係る貨幣管理システムの現金管理装置を構成する束紙幣収納庫を示す斜視図である。
【図５】本発明の一実施形態に係る貨幣管理システムの現金管理装置を構成する棒金収納庫を示す斜視図である。
【図６】本発明の一実施形態に係る貨幣管理システムの現金管理装置の重要物管理金庫への収納状態を示す図である。
【図７】本発明の一実施形態に係る貨幣管理システムのデータの付け替えを説明する図である。
【発明を実施するための形態】
【００２２】
本発明の一実施形態に係る貨幣管理システムを図面を参照して以下に説明する。
【００２３】
本実施形態に係る貨幣管理システム１は、銀行等の金融機関の店舗に設置されるものであり、図１に示すように、出納機２と、重要物管理金庫３と、現金管理装置４とを有している。
【００２４】
出納機２は、金融機関等の店舗の建屋の例えば執務室のフロア上に設置されるものであり、店舗全体の貨幣の全体在高データを管理する貨幣管理親機となっている。出納機２は、貨幣の入出金が可能であり、自身に収納している貨幣および小切手等の在高である出納機在高データ（親機在高データ）を記憶している。この出納機在高データは、出納機２で行われる貨幣の入出金処理によって増減する。
【００２５】
重要物管理金庫３は、金融機関等の店舗の建屋の例えば執務室のフロアに設置されるオープン型のものであり、出納機２によって在高データが管理される下位機としての貨幣管理中間機となっている。重要物管理金庫３は、簡易設置型の金庫であり、自身に収納している貨幣および小切手等の在高である管理金庫在高データ（中間機在高データ）を記憶している。この管理金庫在高データは、重要物管理金庫３への操作入力によって増減する。重要物管理金庫３は、無線あるいは有線で出納機２と通信可能であり、管理金庫在高データを出納機２に送信可能となっている。
【００２６】
現金管理装置４は、フロアを走行移動可能であり、図２に示すテラー用の窓口機７、顧客用の現金自動預払機８、両替機９等の他の貨幣処理機と共に出納機２によって在高が管理される下位機としての貨幣管理子機となっている。現金管理装置４は、貨幣および小切手等を取り出し可能に収納し自身に収納している貨幣および小切手等の在高である管理装置在高データ（子機在高データ）を記憶している。この管理装置在高データは、現金管理装置４における貨幣の入出金処理によって増減する。現金管理装置４は、無線あるいは有線で接続することにより出納機２と通信可能であり、管理装置在高データを出納機２に送信可能となっている。
【００２７】
窓口機７は、貨幣の入出金の計数値から自身に収納している貨幣の在高である窓口機在高データを記憶している。この窓口機在高データは、窓口機７における貨幣の入出金処理によって増減する。窓口機７は、無線あるいは有線で出納機２と通信可能であり、窓口機在高データを出納機２に送信可能となっている。
【００２８】
現金自動預払機８は、貨幣の入出金の計数値から自身に収納している貨幣の在高であるＡＴＭ在高データを記憶している。このＡＴＭ在高データは、現金自動預払機８における貨幣の入出金処理によって増減する。現金自動預払機８は、無線あるいは有線で出納機２と通信可能であり、ＡＴＭ在高データを出納機２に送信可能となっている。
【００２９】
両替機９は、貨幣の出金の計数値から自身に収納している貨幣の在高である両替機在高データを記憶している。この両替機在高データは、両替機９における貨幣の補充処理および出金処理によって増減し、両替処理で金種変更する。両替機９は、無線あるいは有線で出納機２と通信可能であり、両替機在高データを出納機２に送信可能となっている。
【００３０】
現金管理装置４は、図３に示すように、箱型の現金管理装置本体１１とこの現金管理装置本体１１に上下方向に複数段具体的には５段設けられた収納庫１２とを有している。これら収納庫１２は、その左右側壁に設けられた図示略のスライドレールを介して現金管理装置本体１１に対して水平前後方向にスライド開閉可能となっている。これら収納庫１２は、現金管理装置本体１１から引き出されて開状態となり、現金管理装置本体１１に押し込まれて閉状態となる。すべての収納庫１２が、このように前後方向にのみ所定範囲で移動可能となるように現金管理装置本体１１に連結されている。これら収納庫１２は、開状態で現金が出し入れ可能となる一方、閉状態では現金の出し入れが不可となる。現金管理装置４において収納庫１２の引き出し方向の手前側の面が操作者側の装置前面となっている。
【００３１】
複数段の収納庫１２のうち、最も上側のものは、予備収納庫１２（ａ）となっており、結束されていないバラ紙幣、包装されていないバラ硬貨、汚損紙幣や汚損硬貨、新券、小切手等を収納する。また、残りの収納庫１２は、上側２段が小束紙幣や大束紙幣を収納する束紙幣収納庫１２（ｂ）となっており、下側２段が棒金を収納する棒金収納庫１２（ｃ）となっている。勿論、収納庫１２の全体の数や、そのうちの束紙幣収納庫１２（ｂ）および棒金収納庫１２（ｃ）の個々の数、レイアウト等は任意に設定可能であり、例えば、予備収納庫１２（ａ）以外の全てを、束紙幣収納庫１２（ｂ）としたり、棒金収納庫１２（ｃ）としたり、上側２段を棒金収納庫１２（ｃ）とし下側２段を束紙幣収納庫１２（ｂ）とすることも勿論可能である。ただし、現金管理装置４は、人力によりフロア上を走行移動させられることから、予備収納庫１２（ａ）を１段、束紙幣収納庫１２（ｂ）を２段、棒金収納庫１２（ｃ）を２段程度とするのが重量的に好ましい。
【００３２】
現金管理装置本体１１の上部の装置後面側には、現金管理装置４を移動させる際に操作者により把持されるハンドルバー１５が左右方向に延在して取り付けられている。現金管理装置本体１１の上部には、ハンドルバー１５よりも装置前面側に、揺動可能なタッチパネル式の管理装置操作表示部１６が設けられており、管理装置操作表示部１６よりも装置前面側に、管理装置カードリーダ１７と、テンキーを含む着脱式の管理装置キー操作部１８とが設けられている。管理装置操作表示部１６は、操作者により操作入力が行われると共に操作者に表示を行うものであり、管理装置カードリーダ１７は操作者により通されたカードから記憶データを読み取るものである。
【００３３】
現金管理装置本体１１の下部には、フロア上で転動するローラ３７を有するキャスタ３８が四隅位置に設けられている。すべてのキャスタ３８は、ローラ３７が鉛直軸を中心に水平旋回自在となっており、ローラ３７が水平軸を中心に回転可能となっている。
【００３４】
現金管理装置本体１１には、全ての収納庫１２のそれぞれに対して、収納庫１２を閉状態で個別にロックする図２に示す収納庫ロック機構２２が設けられている。例えば、収納庫ロック機構２２は、複数の収納庫１２のそれぞれに設けられて収納庫１２を現金管理装置本体１１に閉状態で電磁的にロックする。図３に示すように、現金管理装置本体１１には、複数の収納庫１２のそれぞれの側方に、収納庫ロック機構２２のロック解除時のみ点灯する表示灯２３が設けられている。
【００３５】
現金管理装置本体１１には、図２に示すように、管理装置操作表示部１６、管理装置カードリーダ１７、管理装置キー操作部１８、収納庫ロック機構２２および表示灯２３に接続されてこれらを制御する管理装置制御部２５と、収納しているバラ紙幣、バラ硬貨、棒金、小束紙幣および小切手等のそれぞれの数量情報および種類情報や処理関連のデータ等を記憶する管理装置記憶部２６と、が設けられている。管理装置制御部２５は、複数の収納庫ロック機構２２のロックを個別に解除可能となっており、管理装置記憶部２６を用いて複数の収納庫１２の現金の収納量つまり在高を個別に管理する。
【００３６】
各収納庫１２と現金管理装置本体１１との間には、現金管理装置本体１１に対する各収納庫１２の引き出し位置を検出する引出位置検出機構３５が設けられている。引出位置検出機構３５は、各収納庫１２が現金管理装置本体１１に最も押し込まれた全閉位置にあること、および、収納庫１２が現金管理装置本体１１から最も引き出された全開位置にあることを含んで各収納庫１２の引き出し位置を検出する。
【００３７】
図４に示すように、束紙幣収納庫１２（ｂ）は、結束された小束紙幣Ｔを入出庫可能に収納するもので、複数、具体的には前後に３つ配列された合成樹脂製の小束トレイ４０を有している。小束紙幣Ｔは、単一金種の紙幣（貨幣）を所定枚数（１００枚）集積し、規定位置に結束テープｔを巻回して、この結束テープｔを接着することで形成されるものである。各小束トレイ４０には１０束の小束紙幣Ｔが収納可能であり、１０束の小束紙幣Ｔを結束した大束紙幣を収納することもできる。また、小束トレイ４０の左スペースに後述する棒金トレイを前後に金種径に応じて４つまたは３つ備えるようにしてもよい。
【００３８】
各小束トレイ４０は、上方に開口し下方に凹む形状をなすトレイ本体４１と、トレイ本体４１に、その後壁部４２と平行を維持しつつ前後移動可能に設けられた札押さえ板４３と、札押さえ板４３を後壁部４２に向けて付勢する図示略の付勢部材とを有している。各小束トレイ４０には、小束紙幣Ｔが、その長辺方向を左右にし短辺方向を上下にし厚さ方向を前後にした立位状態で、上方から挿入されることになり、小束紙幣Ｔは、この立位状態のまま、底部に載置され、後壁部４２と札押さえ板４３とに挟持されて収納されることになる。各小束トレイ４０に収納すべき設定金種を示す収納金種データは、予め設定されて管理装置記憶部２６に記憶されることになる。
【００３９】
図５に示すように、棒金収納庫１２（ｃ）は、単一金種の硬貨（貨幣）が所定枚数（５０枚）集積されて包装紙で包装されてなる棒金Ｂを入出庫可能に収納するもので、複数、具体的には、前後に金種径に応じて４つまたは３つ、左右に３列の合成樹脂製の棒金トレイ５０を有している。
【００４０】
棒金トレイ５０は、棒金Ｂが中心軸線を上下にした立位状態で収納されるものである。棒金トレイ５０は、下方に凹む上方開口形状の棒金収納凹部５１を構成している。棒金トレイ５０の棒金収納凹部５１には、例えば、合計１０本の棒金Ｂが５本ずつセパレートで収納されるようになっている。棒金Ｂは、棒金収納凹部５１に、その上部開口を介して上方から挿入されることになる。棒金収納凹部５１に１０本の棒金Ｂが収納されると、１０本の棒金Ｂは棒金収納凹部５１および他の棒金Ｂで支持されて中心軸線を鉛直配置した立位状態に維持される。ここで、最前列の棒金トレイ５０は、端数用となっており、棒金Ｂの転倒防止用の複数の補助棒５２が立設されていて、収納本数が不足した状態でも棒金Ｂを倒さずに収納可能となっている。各棒金トレイ５０に収納すべき設定金種を示す収納金種データは、予め設定されて管理装置記憶部２６に記憶されることになる。
【００４１】
現金管理装置本体１１の各束紙幣収納庫１２（ｂ）が挿入される部分の上部の前端部には、束紙幣収納庫１２（ｂ）の左右２列の小束トレイ４０のそれぞれの上方近接位置に、束紙幣収納庫１２（ｂ）に収納された小束紙幣Ｔの左端位置を検出する図２に示す左端検出ラインセンサ６１、小束紙幣Ｔの左側に結束テープｔつまり帯がある場合にこれを検出する左側帯検出ラインセンサ６２、小束紙幣Ｔの右側に結束テープｔがある場合にこれを検出する右側帯検出ラインセンサ６３および小束紙幣Ｔの右端位置を検出する右端検出ラインセンサ６４が、それぞれ検出素子を左右方向に並べた状態で固定されている。
【００４２】
束紙幣収納庫１２（ｂ）が最も現金管理装置本体１１から引き出されて図示略の前端位置ストッパに当接し停止する前端位置から最も現金管理装置本体１１に押し込まれて図示略の後端位置ストッパに当接し停止する後端位置まで移動すると、各列用の左端検出ラインセンサ６１、左側帯検出ラインセンサ６２、右側帯検出ラインセンサ６３および右端検出ラインセンサ６４が、この束紙幣収納庫１２（ｂ）に収納された小束紙幣Ｔの上端部の反射光データを取得することになる。
【００４３】
管理装置制御部２５は、引出位置検出機構３５の検出結果と、左端検出ラインセンサ６１、左側帯検出ラインセンサ６２、右側帯検出ラインセンサ６３および右端検出ラインセンサ６４の検出結果とに基づいて束紙幣収納庫１２（ｂ）内の小束紙幣Ｔの数量および金種を取得する。すなわち、管理装置制御部２５は、右側帯検出ラインセンサ６３および右端検出ラインセンサ６４の検出結果から帯の数つまり束数を取得し、左端検出ラインセンサ６１および左側帯検出ラインセンサ６２の検出結果から長さつまり金種を取得する。このようにして、管理装置制御部２５は、各束紙幣収納庫１２（ｂ）内の小束紙幣Ｔの各金種別の束数、合計金額等の在高を管理する。
【００４４】
棒金トレイ５０の各棒金収納位置の底部には、棒金Ｂの有無および材質を検出する磁気センサからなる棒金検出センサ６８がそれぞれ設けられている。管理装置制御部２５は、各棒金検出センサ６８の検出結果から、棒金収納庫１２（ｃ）内の棒金Ｂの数量および金種を取得する。このようにして、管理装置制御部２５は、各棒金収納庫１２（ｃ）内の棒金Ｂの各金種別の本数、合計金額等の在高を管理する。
【００４５】
管理装置制御部２５は、予備収納庫１２（ａ）の在高については、予備収納庫１２（ａ）へのバラ紙幣、バラ硬貨、小切手等の入出庫を含む入出取引の際に、管理装置操作表示部１６を介して入力される、バラ紙幣の入庫数、バラ紙幣の出庫数、バラ硬貨の入庫数およびバラ硬貨の出庫数等に基づいて在高を管理する。
【００４６】
また、現金管理装置本体１１には、全ての収納庫１２のそれぞれに対して、収納庫１２を閉状態で個別にロックする上記した収納庫ロック機構２２が設けられている。各収納庫ロック機構２２は、それぞれ、給電されるとロックを解除して対応する収納庫１２を引き出し可能とし開作動を許容する状態となる。また、各収納庫ロック機構２２は、それぞれ、対応する収納庫１２の引き出し後に給電が停止されることになり、その後は、対応する収納庫１２が全閉位置に戻されると収納庫１２を引き出し不可に自動的かつ機械的にロックする。
【００４７】
現金管理装置４は、操作者が、例えば、他の入出金機や両替機に現金を補充したり、他の入出金機や両替機から現金を回収したり、顧客に現金を渡したり、顧客から預かった現金を収納したりする際等に使用される。つまり、現金管理装置４は、操作者が、バラ硬貨、バラ紙幣、棒金Ｂおよび小束紙幣Ｔのうちの少なくともいずれか一つを現金管理装置４から取り出す出庫時、現金管理装置４にバラ硬貨、バラ紙幣、棒金Ｂおよび小束紙幣Ｔのうちの少なくともいずれか一つを収納する入庫時、および入庫と出庫とを同時並行で行う入庫・出庫時のいずれかからなる入出取引時に使用される。
【００４８】
まず、一の入出取引の開始にあたって、管理装置カードリーダ１７にＩＤカードが通されると、管理装置カードリーダ１７は、これに通されたＩＤカードから管理装置入力操作者識別情報を読み取って管理装置制御部２５に出力する。すると、管理装置制御部２５が、読み取った管理装置入力操作者識別情報が適正であるか否かを判定する。読み取った管理装置入力操作者識別情報が適正である場合、管理装置制御部２５は、一の入出取引のデータ入力を促す表示を、管理装置操作表示部１６に表示させる。これを見た操作者によって管理装置操作表示部１６にデータ入力が行われると、管理装置制御部２５は、この一の入出取引のデータを管理装置記憶部２６に記憶させる。
【００４９】
管理装置制御部２５は、この一の入出取引にて入力されたデータに基づいて、予備収納庫１２（ａ）、全ての束紙幣収納庫１２（ｂ）および全ての棒金収納庫１２（ｃ）の中から、この一の入出取引にて現金が入出庫される対象収納庫１２をロックしている収納庫ロック機構２２のロックを解除して、対象収納庫１２を現金管理装置本体１１から引き出し可能とする。
【００５０】
例えば、この一の入出取引にて入力されたデータに、バラ紙幣およびバラ硬貨の少なくともいずれか一方に関するものが含まれる場合、管理装置制御部２５は、予備収納庫１２（ａ）を対象収納庫１２とし、この予備収納庫１２（ａ）をロックしている収納庫ロック機構２２のロックを解除する。これにより、この予備収納庫１２（ａ）が現金管理装置本体１１から引き出し可能となる。それと共に、管理装置制御部２５は、この予備収納庫１２（ａ）用のその側方にある表示灯２３を点灯させる。
【００５１】
また、例えば、この一の入出取引にて入力されたデータに、小束紙幣Ｔに関するものが含まれる場合、管理装置制御部２５は、含まれる金種の小束紙幣Ｔを収納している束紙幣収納庫１２（ｂ）を対象収納庫１２とし、この束紙幣収納庫１２（ｂ）をロックしている収納庫ロック機構２２のロックを解除する。これにより、この束紙幣収納庫１２（ｂ）が現金管理装置本体１１から引き出し可能となる。それと共に、管理装置制御部２５は、この束紙幣収納庫１２（ｂ）用のその側方にある表示灯２３を点灯させる。
【００５２】
また、例えば、この一の入出取引にて入力されたデータに、棒金Ｂに関するものが含まれる場合、管理装置制御部２５は、含まれる金種の棒金Ｂを収納している棒金収納庫１２（ｃ）を対象収納庫１２とし、この棒金収納庫１２（ｃ）をロックしている収納庫ロック機構２２のロックを解除する。これにより、この棒金収納庫１２（ｃ）が現金管理装置本体１１から引き出し可能となる。それと共に、管理装置制御部２５は、この棒金収納庫１２（ｃ）用のその側方にある表示灯２３を点灯させる。
【００５３】
操作者は、対象収納庫１２を引き出し開状態として、現金を取り出したり装填したりする入出庫作業を行う。
【００５４】
例えば、対象収納庫１２が一の束紙幣収納庫１２（ｂ）である場合、管理装置制御部２５は、この一の束紙幣収納庫１２（ｂ）をロックしている収納庫ロック機構２２を駆動してロックを解除すると共に、この一の束紙幣収納庫１２（ｂ）用の表示灯２３を点灯させることになる。そして、この一の束紙幣収納庫１２（ｂ）の現金管理装置本体１１からの引き出しが開始されたことを引出位置検出機構３５の検出結果から検出すると、この一の束紙幣収納庫１２（ｂ）用の収納庫ロック機構２２の駆動を終了する。
【００５５】
その後、引出位置検出機構３５が、この一の束紙幣収納庫１２（ｂ）について、全開状態になったことを検出した後、閉方向の移動開始を検出すると、管理装置制御部２５は、この一の束紙幣収納庫１２（ｂ）に対して設けられた左端検出ラインセンサ６１、左側帯検出ラインセンサ６２、右側帯検出ラインセンサ６３および右端検出ラインセンサ６４の組の左右二組について、これらに給電してこれらによる反射光データの取り込みを開始させる。そして、引出位置検出機構３５がこの一の束紙幣収納庫１２（ｂ）が全閉状態になったことを検出すると、管理装置制御部２５は、反射光データの取り込みを終了させると共に、この一の束紙幣収納庫１２（ｂ）用の表示灯２３を消灯させる。この一の束紙幣収納庫１２（ｂ）が全閉状態になると、この一の束紙幣収納庫１２（ｂ）用の収納庫ロック機構２２がこれを自動的にロック状態になる。
【００５６】
そして、管理装置制御部２５は、上記した反射光データから、この一の束紙幣収納庫１２（ｂ）に収納された小束紙幣Ｔの金種別の数量データを取得して管理装置記憶部２６に記憶させると共に、この金種別の数量データと、管理装置記憶部２６に記憶されている前回のこの一の束紙幣収納庫１２（ｂ）の金種別の数量データとから、増減分を割り出す。そして、管理装置制御部２５は、この増減分を、今回の一の入出取引に対して入力されたデータと照合して差異があるか否かを判定し、差異がなければ、今回の一の入出取引の終了を判定する。
【００５７】
また、対象収納庫１２が一の棒金収納庫１２（ｃ）である場合、管理装置制御部２５は、この一の棒金収納庫１２（ｃ）について、引出位置検出機構３５が、全開状態になったことを検出した後、全閉状態になったことを検出すると、この一の束紙幣収納庫１２（ｂ）用の表示灯２３を消灯させると共に、この一の棒金収納庫１２（ｃ）に対して設けられた棒金検出センサ６８に磁気データを取得させる。
【００５８】
そして、管理装置制御部２５は、上記した磁気データから、この一の棒金収納庫１２（ｃ）に収納された棒金Ｂの金種別の数量データを取得して管理装置記憶部２６に記憶させると共に、この金種別の数量データと、管理装置記憶部２６に記憶されている前回のこの一の棒金収納庫１２（ｃ）の金種別の数量データとから、増減分を割り出す。そして、管理装置制御部２５は、この増減分を、今回の一の入出取引に対して入力されたデータと照合して差異があるか否かを判定し、差異がなければ、今回の一の入出取引の終了を判定する。
【００５９】
重要物管理金庫３は、図１に示すように、コンポーネント化された複数個の保管庫１２１〜１２５が選択的に組み合わせられて一体に構成されてなるものである。保管庫１２１〜１２５は、被管理物の保管を行うもので、管理種別毎に設けられている。保管庫１２１〜１２５は、複数の大きさのものがある。また、保管庫１２１〜１２５は、必要に応じて耐火構造に構成される。
【００６０】
重要物管理金庫３は、前面側に引き出される引き出し開閉式の横方向に長い複数の保管庫１２１と、前面側に引かれて揺動する片側扉の揺動開閉式の縦方向に長い複数の保管庫１２２と、前面側に引かれて揺動する両側扉の揺動開閉式の縦方向に短い複数の保管庫１２３と、前面側に引かれて揺動する両側扉の揺動開閉式の縦方向に長い複数の保管庫１２４と、前面側に引かれて揺動する両側扉の揺動開閉式の縦方向に中間の長さの保管庫１２５と、を有している。保管庫１２１〜１２５には、被管理物として、大束紙幣、小束紙幣、棒金、バラ紙幣、バラ硬貨、通帳、鍵、カード、金券等が適宜収納される。
【００６１】
例えば、引き出し開閉式であって横方向に長い複数の保管庫１２１には、そのうちの一つの保管庫１２１（ａ）に、被管理物としての大束紙幣、小束紙幣、棒金およびバラ紙幣が収納され保管される。また、他の一つの保管庫１２１（ｂ）に、被管理物としてのバラ硬貨が収納され保管される。また、他の一つの保管庫１２１（ｃ）に通帳が収納され保管される。
【００６２】
また、両側扉の揺動開閉式の縦方向に長い複数の保管庫１２４のうち、最下段に設けられた一つの保管庫１２４（ａ）は、図６に示すように、現金管理装置４を収納し取り出し可能に保管する耐火構造の保管部となっている。保管庫１２４（ａ）が耐火構造であるため、現金管理装置４自体を耐火構造に構成しなくても、火災等の災害に対して現金管理装置４に収納された現金を安全に管理することができる。
【００６３】
各保管庫１２１〜１２５には、それぞれを個別に閉状態でロックする電磁式の図２に示す保管庫ロック機構１２７（開閉機構）が設けられており、この保管庫ロック機構１２７は、ロック解除信号が入力されると図１に示す保管庫１２１〜１２５の対応するものが開放可能となるようにロックを解除する一方、ロック信号が入力されると保管庫１２１〜１２５の対応するものを閉状態で開作動不可にロックする。つまり、保管庫ロック機構１２７は、保管庫１２１〜１２５の対応するものを開閉する。その結果、保管庫１２４（ａ）を開閉する保管庫ロック機構１２７は、重要物管理金庫３のうちの現金管理装置４を保管する保管庫１２４（ａ）を開閉する。各保管庫１２１〜１２５には、それぞれの開閉状態を検出する図２に示す開閉検知センサ１２８と、それぞれの状態を点灯状態によって示すＬＥＤランプからなる状態表示部１２９とが設けられている。保管庫１２４（ａ）には、これが現金管理装置４を収納しているか否かを検知する保管検知センサ１３０が設けられている。
【００６４】
また、重要物管理金庫３は、図１に示すように前面側に、使用者により操作入力が行われるタッチパネル式の管理金庫操作表示部１３５と、管理金庫カードリーダ１３６とが設けられている。管理金庫操作表示部１３５は、操作者により操作入力が行われると共に操作者に表示を行うものであり、管理金庫カードリーダ１３６は操作者により通されたＩＤカードの記憶データを読み取るものである。重要物管理金庫３は、内部に重要物管理金庫３を制御する図２に示す管理金庫制御部１３７と、重要物管理金庫３の各保管庫１２１〜１２５内に保管される貨幣類の在高データ等を記憶する管理金庫記憶部１３９とを内蔵する一つの図１に示す管理金庫制御ユニット１４０を有している。この管理金庫制御ユニット１４０は、管理金庫操作表示部１３５、管理金庫カードリーダ１３６、管理金庫制御部１３７および管理金庫記憶部１３９を一体に有してコンポーネント化されており、保管庫１２５の下側に配置されている。管理金庫制御部１３７は、管理金庫操作表示部１３５への入力に基づいて重要物管理金庫３内に保管される貨幣類の在高データ等を管理金庫記憶部１３９に記憶させる。
【００６５】
重要物管理金庫３は、管理金庫制御ユニット１４０と、複数個の保管庫１２１〜１２５の適宜のものとが、前面を揃えた状態で、隣り合うもの同士が図示略の連結具で連結されることで、正面視矩形状に組み上げられることになる。その際に、重要物管理金庫３は、後面側に設けられた通信ケーブルで、各保管庫１２１〜１２５と管理金庫制御ユニット１４０とが通信可能に接続されている。重要物管理金庫３の後面側には、通信ケーブルを覆うカバーが取り付けられている。
【００６６】
上記のようにして組み立てられた重要物管理金庫３が後面を壁に近接させて例えば執務室のフロア上に設置されることになり、これにより、重要物管理金庫３の管理金庫制御ユニット１４０の前面および複数個の保管庫１２１〜１２５の前面が執務室の室内側に向いて設置されることになる。
【００６７】
図１に示す出納機２は、被管理物のうちの紙幣、硬貨および金券等の貨幣類を取り扱うもので、金融機関等の店舗に設置されて店舗全体の貨幣処理を管理するものである。出納機２は、例えば、大口顧客に対する係員による入金、出金等の取引処理、係員による渉外先への持ち出し金の出金処理や、渉外先からの持ち帰り金の入金処理、さらには、営業終了後の金融機関店舗全体での入出金状況の締め上げ管理等を行うものである。
【００６８】
出納機２は、紙幣についての入出金処理等を行う紙幣処理装置１５５と、紙幣の特に新券についての出金処理等を行う新券処理装置１５６と、硬貨についての入出金処理等を行う硬貨処理装置１５７とが左右に並設されて構成されている。
【００６９】
紙幣処理装置１５５は、その前面側の上部に、機外からバラ紙幣が投入されると共に機内から出金用のバラ紙幣が繰り出されるバラ紙幣入出金口１６０が設けられている。バラ紙幣入出金口１６０の下側には、入金処理で受け付け不可と判定された入金リジェクト紙幣が機内から繰り出される入金リジェクト口１６１が設けられている。バラ紙幣入出金口１６０よりも上側には、機内でバラ紙幣を所定枚数集積して結束してなる小束紙幣を機外に取り出し可能とする束出金口１６２が設けられている。
【００７０】
新券処理装置１５６には、その前面側の上部に、機内から出金用の新券のバラ紙幣が繰り出される新券出金口１６５が設けられている。
【００７１】
硬貨処理装置１５７は、その前面側の上部に、機外からバラ硬貨が投入されるバラ硬貨入金口１６８が設けられている。バラ硬貨入金口１６８の下側には、入金処理で受け付け不可と判定された入金リジェクト硬貨が機内から繰り出される入金リジェクト口１６９が設けられている。入金リジェクト口１６９の下側には、機内から出金用のバラ硬貨が繰り出されるバラ硬貨出金口１７０が設けられている。前面側の上部には、機内でバラ硬貨を所定枚数集積して包装してなる棒金硬貨を機外に取り出し可能とする棒金出金口１７１が設けられている。
【００７２】
出納機２は、硬貨処理装置１５７の上部に、タッチパネル式の出納機操作表示部１７５と、出納機キー操作部１８１と、出納機カードリーダ１８２とを有している。出納機操作表示部１７５は、操作者により操作入力が行われると共に操作者に表示を行うものであり、出納機キー操作部１８１は、操作者により操作入力が行われるものであり、出納機カードリーダ１８２は操作者により通されたＩＤカードの記憶データを読み取るものである。出納機２は、図２に示すように、出納機２を制御する出納機制御部１７７と、出納機２内の在高データおよび店舗内の在高データ等を記憶する出納機記憶部１７９とを有している。
【００７３】
出納機２は、その出納機制御部１７７が、この出納機２が管理対象とする現金管理装置４の管理装置制御部２５と通信可能であり、この出納機２が管理対象とする窓口機７との間で通信可能であり、この出納機２が管理対象とする現金自動預払機８と通信可能であり、この出納機２が管理対象とする両替機９と通信可能である。また、出納機制御部１７７は、この出納機２と同じ店舗内に設けられた重要物管理金庫３の管理金庫制御部１３７と通信可能である。
【００７４】
出納機２は、その出納機制御部１７７が、図７に示すように、管理在高データとして、これが設けられた出納機２の出納機在高データと、この出納機２と同じ店舗内に設けられた重要物管理金庫３の管理金庫在高データと、出納機在高データおよび管理金庫在高データ以外の手許在高データとを出納機記憶部１７９に記憶させており、これら出納機在高データと管理金庫在高データと手許在高データとをそれぞれ管理する。出納機２は、手許在高データを装填可能額として管理し、手許在高の中から出納機２自身や他の機械に貨幣の装填を行うことができる。また、出納機２は、その出納機制御部１７７が、管理在高データとして、この出納機２が管理対象とする現金管理装置４の管理装置在高データと、この出納機２が管理対象とする窓口機７の窓口機在高データと、この出納機２が管理対象とする現金自動預払機８のＡＴＭ在高データと、この出納機２が管理対象とする両替機９の両替機在高データとを出納機記憶部１７９に記憶させており、これらの管理装置在高データと窓口機在高データとＡＴＭ在高データと両替機在高データとを管理する。出納機制御部１７７は、出納機在高データと管理金庫在高データと管理装置在高データと窓口機在高データとＡＴＭ在高データと両替機在高データとを区別しつつ関連データとして管理する。これにより、出納機２は、店舗内のすべての管理対象機器の貨幣類の在高データを一元管理するようになっている。
【００７５】
出納機制御部１７７は、重要物管理金庫３が現金管理装置４を保管している状態では、重要物管理金庫３に保管されている現金管理装置４の管理装置在高データを、図７（ａ）に示すように、出納機在高データおよび管理金庫在高データ以外の手許在高データに含めずに、管理金庫在高データに含める。このとき、出納機制御部１７７は、重要物管理金庫３の管理金庫在高データを、管理装置在高データと、それ以外の管理金庫本体部分在高データとに区別しつつ関連データとして管理する。また、このとき、出納機制御部１７７は、窓口機在高データとＡＴＭ在高データと両替機在高データとを区別しつつ関連する手許在高データとして管理する。
【００７６】
また、出納機制御部１７７は、現金管理装置４が重要物管理金庫３から取り出されている状態では、重要物管理金庫３から取り出されている現金管理装置４の管理装置在高データを、図７（ｂ）に示すように、管理金庫在高データに含めずに、出納機在高データおよび管理金庫在高データ以外の手許在高データに含める。このとき、出納機制御部１７７は、管理装置在高データと窓口機在高データとＡＴＭ在高データと両替機在高データとを区別しつつ関連する手許在高データとして管理する。
【００７７】
「現金管理装置の保管」
出納機２への操作入力時には、出納機カードリーダ１８２にＩＤカードが通されることになり、出納機カードリーダ１８２は、これに通されたＩＤカードから出納機入力操作者識別情報（親機入力操作者識別情報）を読み取って出納機制御部１７７に出力する。つまり、出納機２への操作入力時には、出納機入力操作者識別情報が出納機２に入力される。
【００７８】
出納機２の出納機制御部１７７は、出納機カードリーダ１８２が読み取った出納機入力操作者識別情報に対して許可されたメニューを出納機操作表示部１７５に表示させる。このメニューの中に現金管理装置４を重要物管理金庫３に保管する管理装置保管指令操作（子機保管指令操作）が含まれている場合に、この管理装置保管指令操作の選択入力が可能となる。メニューの中に管理装置保管指令操作を含めるか否かは、例えば出納機入力操作者識別情報の役席レベルで設定されている。
【００７９】
上記したメニューの中に管理装置保管指令操作が含まれている場合に、この管理装置保管指令操作が選択入力されると、これに基づいて出納機２の出納機制御部１７７は、現金管理装置４の管理装置制御部２５および重要物管理金庫３の管理金庫制御部１３７に、出納機２に入力された出納機入力操作者識別情報を含む管理装置保管キュー信号（子機保管指令信号）を出力する。
【００８０】
管理装置保管キュー信号を受けると、現金管理装置４の管理装置制御部２５は、管理装置記憶部２６に記憶されている管理装置在高データを読み出して出納機２の出納機制御部１７７に出力する。出納機２の出納機制御部１７７は、図７（ａ）に示すように、この現金管理装置４の管理装置在高データを、出納機記憶部１７９に記憶されている出納機在高データおよび管理金庫在高データ以外の手許在高データに含めずに、管理金庫在高データに含めて出納機記憶部１７９に記憶させる。つまり、管理装置在高データを手許在高データから管理金庫在高データに付け替える。出納機２の出納機制御部１７７は、このように、管理装置在高データを管理金庫在高データに含めて出納機記憶部１７９に記憶させた後は、現金管理装置４を重要物管理金庫３に保管中であることを管理して、現金管理装置４に対する入出金処理等を規制する。
【００８１】
ここで、管理装置保管キュー信号を受けると、現金管理装置４の管理装置制御部２５は、現金管理装置４の管理装置在高データを管理装置記憶部２６から読み出して、出納機２の出納機制御部１７７に出力することになるが、それ以後、現金管理装置４の管理装置在高データの変更を伴うローカル処理、すなわち現金管理装置４における貨幣の入出金処理等を制限する状態になる。この状態で、管理装置操作表示部１６に、「ローカル処理制限中」の表示を表示させる。あるいは、管理装置保管キュー信号を受けると、現金管理装置４の管理装置制御部２５は、現金管理装置４の管理装置在高データを管理装置記憶部２６から読み出して、出納機２の出納機制御部１７７に出力し、その後、現金管理装置４の主電源をシャットダウンする。
【００８２】
出納機２に入力された出納機入力操作者識別情報を含む管理装置保管キュー信号を受けると、重要物管理金庫３の管理金庫制御部１３７は、この出納機入力操作者識別情報と一致する管理金庫入力操作者識別情報が入力された場合に、現金管理装置４の保管場所である保管庫１２４（ａ）の保管庫ロック機構１２７のロック解除を許可する状態となる。
【００８３】
重要物管理金庫３への操作入力時には、管理金庫カードリーダ１３６にＩＤカードが通されることになり、管理金庫カードリーダ１３６は、これに通されたＩＤカードから管理金庫入力操作者識別情報（中間機入力操作者識別情報）を読み取って管理金庫制御部１３７に出力する。つまり、重要物管理金庫３への操作入力時には、管理金庫入力操作者識別情報が重要物管理金庫３に入力される。
【００８４】
重要物管理金庫３の管理金庫制御部１３７は、読み取った管理金庫入力操作者識別情報に対して許可されたメニューを管理金庫操作表示部１３５に表示させる。管理金庫制御部１３７は、読み取った管理金庫入力操作者識別情報が、出納機２の出納機制御部１７７から出力された管理装置保管キュー信号に含まれる出納機入力操作者識別情報と一致する場合、このメニューの中に現金管理装置４を重要物管理金庫３に保管する管理装置保管実行操作を含めることになり、この場合に、管理装置保管実行操作の選択入力が可能となる。
【００８５】
上記したメニューの中に管理装置保管実行操作が含まれている場合に、この管理装置保管実行操作が入力されると、これに基づいて、管理金庫制御部１３７は、保管庫１２４（ａ）の保管庫ロック機構１２７にロック解除信号を出力してロックを解除する開作動を実行させると共に、保管庫１２４（ａ）に設けられたＬＥＤランプからなる状態表示部１２９を点滅させて、保管庫１２４（ａ）の保管庫ロック機構１２７がロック解除状態にあることを表示させる。保管庫ロック機構１２７がロック解除状態になることによって保管庫１２４（ａ）が開放可能となり、操作者は、図６に示すように保管庫１２４（ａ）を開いて保管庫１２４（ａ）内に現金管理装置４を押し込む。そして、保管庫１２４（ａ）が閉じられたことが開閉検知センサ１２８で検知されると、管理金庫制御部１３７は、保管庫１２４（ａ）に現金管理装置４が収納されているか否かを保管検知センサ１３０に検知させる。管理金庫制御部１３７は、保管庫１２４（ａ）に現金管理装置４が収納されていると、保管庫ロック機構１２７にロック信号を出力してこれを開作動不可にロックする。ここで、管理金庫制御部１３７は、上記したローカル処理制限中の状態で、現金管理装置４が保管庫１２４（ａ）に収納されたことを示す信号が保管検知センサ１３０から出力されて保管庫ロック機構１２７にロック信号を出力すると、その旨の信号を出納機２の出納機制御部１７７に出力することになり、出納機制御部１７７は、この信号を受けると、現金管理装置４の管理装置制御部２５に信号を出力して、現金管理装置４の主電源をシャットダウンさせる。
【００８６】
以上により、重要物管理金庫３が現金管理装置４を保管している状態では、出納機２の出納機制御部１７７が、重要物管理金庫３に保管されている現金管理装置４の管理装置在高データを、図７（ａ）に示すように、出納機在高データおよび管理金庫在高データ以外の手許在高データに含めずに管理金庫在高データに含めることになる。
【００８７】
ここで、保管庫１２４（ａ）の保管庫ロック機構１２７のロックが解除された状態で、保管庫１２４（ａ）に現金管理装置４が収納されずに所定時間経過すると、出納機２、重要物管理金庫３および現金管理装置４の少なくともいずれか一つがアラームでこれを報知する。
【００８８】
なお、出納機２の出納機制御部１７７は、上記のように現金管理装置４の管理装置制御部２５から管理装置在高データを受け取った時点ではなく、管理装置制御部２５から管理装置在高データを受け取った後、重要物管理金庫３の保管庫１２４（ａ）に現金管理装置４が保管されたことが検知されたことを条件に、管理装置在高データを手許在高データに含めずに重要物管理金庫３の管理金庫在高データに含めて出納機記憶部１７９に記憶させるようにしても良い。
【００８９】
「現金管理装置の取り出し」
出納機２への操作入力時には、出納機カードリーダ１８２にＩＤカードが通されることになり、出納機２の出納機制御部１７７は、出納機カードリーダ１８２が読み取ったＩＤカードの出納機入力操作者識別情報（親機入力操作者識別情報）に対して許可されたメニューを出納機操作表示部１７５に表示させる。このメニューの中に現金管理装置４を重要物管理金庫３から取り出す管理装置取出指令操作（子機取出指令操作）が含まれている場合に、この管理装置取出指令操作の選択入力が可能となる。メニューの中に管理装置取出指令操作を含めるか否かは、例えば出納機入力操作者識別情報の役席レベルで設定されている。
【００９０】
上記したメニューの中に管理装置取出指令操作が含まれている場合に、この管理装置取出指令操作が選択入力されると、これに基づいて出納機２の出納機制御部１７７は、重要物管理金庫３の管理金庫制御部１３７に、出納機２に入力された出納機入力操作者識別情報を含む管理装置取出キュー信号（子機取出指令信号）を出力する。それと共に、出納機制御部１７７は、出納機記憶部１７９から、図７（ａ）に示す管理装置在高データと管理金庫本体部分在高データとを含む管理金庫在高データと、手許在高データとを読み出し、図７（ｂ）に示すように、管理装置在高データを、管理金庫在高データに含めずに手許在高データに含めて出納機記憶部１７９に記憶させる。つまり、管理装置在高データを管理金庫在高データから手許在高データに付け替える。さらに、出納機２の出納機制御部１７７は、現金管理装置４の主電源をオンしてこれを起動させる。起動後、現金管理装置４は、管理装置在高データの変更を伴うローカル処理を許容する状態になる。
【００９１】
出納機２に入力された出納機入力操作者識別情報を含む管理装置取出キュー信号を受けると、重要物管理金庫３の管理金庫制御部１３７は、この出納機入力操作者識別情報と一致する管理金庫入力操作者識別情報が入力された場合に、現金管理装置４を保管している保管庫１２４（ａ）の保管庫ロック機構１２７のロック解除を許可する状態となる。
【００９２】
つまり、重要物管理金庫３への操作入力時には、管理金庫カードリーダ１３６にＩＤカードが通されることになり、重要物管理金庫３の管理金庫制御部１３７は、管理金庫カードリーダ１３６が読み取ったＩＤカードの管理金庫入力操作者識別情報（中間機入力操作者識別情報）に対して許可されたメニューを管理金庫操作表示部１３５に表示させる。管理金庫制御部１３７は、管理金庫カードリーダ１３６が読み取った管理金庫入力操作者識別情報が、出納機２の出納機制御部１７７から出力された管理装置取出キュー信号に含まれる出納機入力操作者識別情報と一致する場合、このメニューの中に現金管理装置４を重要物管理金庫３から取り出す管理装置取出実行操作を含めることになり、この場合に、管理装置取出実行操作の選択入力が可能となる。
【００９３】
上記したメニューの中に管理装置取出実行操作が含まれている場合に、この管理装置取出実行操作が入力されると、これに基づいて、管理金庫制御部１３７は、保管庫１２４（ａ）の保管庫ロック機構１２７にロック解除信号を出力してロックを解除する開作動を実行させると共に、保管庫１２４（ａ）に設けられたＬＥＤランプからなる状態表示部１２９を点滅させて、保管庫１２４（ａ）の保管庫ロック機構１２７がロック解除状態にあることを表示させる。保管庫ロック機構１２７がロック解除状態になることによって保管庫１２４（ａ）が開放可能となり、操作者は、図６に示すように保管庫１２４（ａ）を開いて保管庫１２４（ａ）から現金管理装置４を取り出す。そして、保管庫１２４（ａ）が閉じられたことが開閉検知センサ１２８で検知されると、管理金庫制御部１３７は、保管庫１２４（ａ）から現金管理装置４が取り出されているか否かを保管検知センサ１３０に検知させる。管理金庫制御部１３７は、保管庫１２４（ａ）から現金管理装置４が取り出されていると、保管庫ロック機構１２７にロック信号を出力してこれを開作動不可にロックする。ここで、管理金庫制御部１３７は、現金管理装置４が保管庫１２４（ａ）から取り出されたことを示す信号が保管検知センサ１３０から出力されて保管庫ロック機構１２７にロック信号を出力すると、現金管理装置４が保管庫１２４（ａ）から取り出されたことを示す信号を出納機２の出納機制御部１７７に出力することになり、出納機制御部１７７は、この信号を受けると、現金管理装置４の管理装置制御部２５に信号を出力して、現金管理装置４の主電源をオンする。また、出納機制御部１７７は、現金管理装置４を重要物管理金庫３から取り出した状態であることを管理して、現金管理装置４に対する入出金処理等を許容する。
【００９４】
以上により、現金管理装置４が重要物管理金庫３から取り出されている状態では、出納機２の出納機制御部１７７が、重要物管理金庫３から取り出されている現金管理装置４の管理装置在高データを、図７（ｂ）に示すように、管理金庫在高データに含めずに、出納機在高データおよび管理金庫在高データ以外の、手許在高データに含めることになる。
【００９５】
保管庫１２４（ａ）の保管庫ロック機構１２７のロックが解除された状態で、保管庫１２４（ａ）から現金管理装置４が取り出されずに所定時間経過すると、出納機２および重要物管理金庫３の少なくともいずれか一方がアラームで報知する。
【００９６】
なお、出納機２の出納機制御部１７７は、管理装置取出指令操作が選択入力された時点ではなく、その後、管理金庫制御部１３７から、現金管理装置４が保管庫１２４（ａ）から取り出されたことを示す信号を受けると、管理装置在高データを管理金庫在高データに含めずに、手許在高データに含めて出納機記憶部１７９に記憶させるようにしても良い。
【００９７】
以上に述べた本実施形態の貨幣管理システム１によれば、重要物管理金庫３が、移動可能であって貨幣を取り出し可能に収納する現金管理装置４を取り出し可能に保管するため、現金管理装置４を用いても、これを保管する金庫室がなくて済む。よって、簡素であり利便性が高くなる。また、出納機２が、現金管理装置４および重要物管理金庫３と通信可能であって、重要物管理金庫３が現金管理装置４を保管している状態では、現金管理装置４の管理装置在高データを手許在高データに含めずに重要物管理金庫３の管理金庫在高データに含め、重要物管理金庫３から現金管理装置４が取り出されている状態では、管理装置在高データを管理金庫在高データに含めずに手許在高データに含めるため、このような在高データの人手による専用の付け替え作業が不要になる。よって、さらに利便性が高くなる。
【００９８】
また、出納機２は、管理装置保管指令操作が入力されると、現金管理装置４の管理装置在高データを手許在高データに含めずに重要物管理金庫３の管理金庫在高データに含めると共に、重要物管理金庫３に管理装置保管指令信号を出力する。この管理装置保管指令信号を受けると、重要物管理金庫３は、保管庫ロック機構１２７の開作動を許可する。よって、管理装置在高データを手許在高データに含めずに管理金庫在高データに含めるという在高データの付け替えを行わずに、重要物管理金庫３に現金管理装置４が保管されてしまうことを抑制できる。
【００９９】
また、出納機２は、出納機入力操作者識別情報を含んで重要物管理金庫３に管理装置保管指令信号を出力する。すると、重要物管理金庫３は、入力された管理金庫入力操作者識別情報が出納機入力操作者識別情報と一致する場合に、保管庫ロック機構１２７の開作動を許可する。よって、出納機２への操作者以外による重要物管理金庫３への現金管理装置４の保管を抑制でき、他の現金管理装置４が保管される等の誤保管を抑制できる。
【０１００】
また、出納機２は、管理装置取出指令操作が入力されると、現金管理装置４の管理装置在高データを重要物管理金庫３の管理金庫在高データに含めずに手許在高データに含めると共に、重要物管理金庫３に管理装置取出指令信号を出力する。この管理装置取出指令信号を受けると、重要物管理金庫３は、保管庫ロック機構１２７の開作動を許可する。よって、管理装置在高データを管理金庫在高データに含めずに手許在高データに含めるという在高データの付け替えを行わずに、重要物管理金庫３から現金管理装置４が取り出されてしまうことを抑制できる。
【０１０１】
また、出納機２は、出納機入力操作者識別情報を含んで重要物管理金庫３に管理装置取出指令信号を出力する。すると、重要物管理金庫３は、入力された管理金庫入力操作者識別情報が出納機入力操作者識別情報と一致する場合に、保管庫ロック機構１２７の開作動を許可する。よって、出納機２への操作者以外による重要物管理金庫３からの現金管理装置４の取り出しを抑制でき、セキュリティ性を高めることができる。また、在高の移動とそれを行った操作者の識別情報とを出納機２で一元管理することができる。
【０１０２】
本実施形態の出納機２によれば、現金管理装置４および重要物管理金庫３と通信可能であって、重要物管理金庫３が現金管理装置４を保管している状態では、現金管理装置４の管理装置在高データを手許在高データに含めずに重要物管理金庫３の管理金庫在高データに含め、重要物管理金庫３から現金管理装置４が取り出されている状態では、管理装置在高データを管理金庫在高データに含めずに手許在高データに含めるため、このような在高データの人手による専用の付け替え作業が不要になる。よって、利便性が高くなる。
【０１０３】
本実施形態の在高データ管理方法によれば、重要物管理金庫３が現金管理装置４を保管している状態では、現金管理装置４の管理装置在高データを手許在高データに含めずに重要物管理金庫３の管理金庫在高データに含め、重要物管理金庫３から現金管理装置４が取り出されている状態では、管理装置在高データを管理金庫在高データに含めずに手許在高データに含めるため、このような在高データの人手による専用の付け替え作業が不要になる。よって、利便性が高くなる。
【０１０４】
上記の実施形態では、貨幣管理システム１が現金管理装置４を一台備える場合を例にとり説明したが、独立した現金管理装置４を複数台備えていても良い。この場合、それぞれの現金管理装置４を個別に上記と同様に重要物管理金庫３に対し保管したり取り出したりすることになる。あるいは、複数台の現金管理装置４を重要物管理金庫３に対し一斉に保管したり取り出したりすることも可能である。この場合、保管時にすべての現金管理装置４が重要物管理金庫３に保管されていない場合や、取り出し時にすべての現金管理装置４が重要物管理金庫３から取り出されていない場合に、アラームを発生させて報知するようにしても良い。また、出納機２の近くに存在する現金管理装置４のみに対して、管理装置保管キュー信号や管理装置取出キュー信号を送信したり、現金管理装置４の管理金庫在高データに応じて管理装置保管キュー信号や管理装置取出キュー信号を送信する現金管理装置４を決定するようにしても良い。複数台の現金管理装置４の保管および取り出しを、例えば繁忙期か否かを予め設定しておき、繁忙期には取り出し台数を増やすようにすることができる。
【０１０５】
また、貨幣管理システム１が、マスター・スレイブ動作を行う複数台の現金管理装置４を備えていても良い。親機となる現金管理装置４が、子機となる現金管理装置４を含めて管理金庫在高データを管理しているため、出納機２は、すべての現金管理装置４が重要物管理金庫３に保管されたことを条件に、すべての現金管理装置４の管理装置在高データを手許在高データに含めずに、重要物管理金庫３の管理金庫在高データに含めることになる。また、出納機２は、すべての現金管理装置４が重要物管理金庫３から取り出されたことを条件に、現金管理装置４の管理装置在高データを、重要物管理金庫３の管理金庫在高データに含めずに、手許在高データに含めることになる。この場合、保管時にすべての現金管理装置４が重要物管理金庫３に保管されていない場合や、取り出し時にすべての現金管理装置４が重要物管理金庫３から取り出されていない場合に、アラームを発生させて報知するようにしても良い。
【０１０６】
なお、上記各実施形態では、操作者の認証は、磁気カードやＩＣカード等のＩＤカードを用いて行う場合について説明したが、操作者の指紋あるいは静脈等の生体情報を用いた認証手段であってもよいし、これらを併用してもよい。
【０１０７】
また、上記各実施形態において、出納機２は締上業務において重要物管理金庫３に未処理の管理装置保管キューや管理装置取出キューの照会を行い、現金管理装置４の保管や取出処理に未処理が無いかの確認を行う。出納機２は、現金管理装置４の保管や取出処理に未処理があった場合はアラームを発生させ、操作者に警告し、操作を促す。
【０１０８】
また、上記の現金管理装置の保管処理では、出納機２からの管理装置保管キュー信号をトリガにして行う場合について説明したが、これに限定されるものではない。例えば、現金管理装置４において、管理装置カードリーダ１７が読み取った管理装置入力操作者識別情報に対して許可されたメニューの中に管理装置保管指令操作を含め、管理装置操作表示部１６に表示させる。この管理装置保管指令操作が選択入力されると、現金管理装置４の管理装置制御部２５は、管理装置記憶部２６に記憶されている管理装置在高データを読み出して、管理装置カードリーダ１７が読み取った管理装置入力操作者識別情報と現金管理装置４の保管処理が行われたことを示す信号と共に出納機２の出納機制御部１７７に出力し、現金管理装置４の主電源をシャットダウンする。これに基づいて出納機２の出納機制御部１７７は、管理装置在高データを手許在高データから管理金庫在高データに付け替え、重要物管理金庫３の管理金庫制御部１３７に、この管理装置入力操作者識別情報を含む管理装置保管キュー信号を出力する。重要物管理金庫３は、管理金庫カードリーダ１３６が読み取った管理金庫入力操作者識別情報が、管理装置保管キュー信号に含まれる管理装置力操作者識別情報と一致する場合に管理装置保管実行操作の選択入力を可能にする。その他の処理については、上記の現金管理装置の保管処理と同様に、各装置は動作を行う。
【０１０９】
また、上記の現金管理装置の取り出し処理では、出納機２からの管理装置取出キュー信号をトリガにして行う場合について説明したが、これに限定されるものではない。例えば、重要物管理装置３において、管理金庫カードリーダ１３６が読み取った管理金庫入力操作者識別情報に対して許可されたメニューの中に管理装置取出指令操作を含め、管理金庫操作表示部１３５に表示させる。この管理装置取出指令操作が選択入力されると、重要物管理装置３の管理金庫制御部１３７は、現金管理装置４の取り出し処理が行われたことを示す信号を出納機２の出納機制御部１７７に出力する。これに基づいて出納機２の出納機制御部１７７は、管理装置在高データを管理金庫在高データから手許在高データに付け替える。その他の処理については、上記の現金管理装置の取り出し処理と同様に、各装置は動作を行う。
【符号の説明】
【０１１０】
１  貨幣管理システム
２  出納機（貨幣管理親機）
３  重要物管理金庫（貨幣管理中間機）
４  現金管理装置（貨幣管理子機）
１２７  保管庫ロック機構（開閉機構）
【図１】
0006670614.tif 000002
【図２】
0006670614.tif 000003
【図３】
0006670614.tif 000004
【図４】
0006670614.tif 000005
【図５】
0006670614.tif 000006
【図６】
0006670614.tif 000007
【図７】
0006670614.tif 000008